(57)【要約】【課題】ユーザの利便性を阻害せずにスクリーンセーブ処理を可能とする。【解決手段】この発明の一実施の形態に係る映像表示制御方法では、動画または静止画で構成される背景画像を画像表示スクリーン上に提供し（ＳＴ１０におけるVideo表示）、前記背景画像を含む画面上でオンスクリーン表示を行う（ＳＴ１０におけるＧＵＩ表示）。そして、前記オンスクリーン表示がなされてから（ＳＴ２１yes）機器操作のない状態で（ＳＴ２２no）第１の所定時間以上経過した場合は（ＳＴ２６yes）前記オンスクリーン表示を消去し（ＳＴ３１）、前記背景画像が静止画になってから（ＳＴ１２yes）機器操作のない状態で（ＳＴ１３no）第２の所定時間以上経過した場合は（ＳＴ１６yes）スクリーンセーブを行う（ＳＴ１７）。【選択図】図４
2010282136.tif 000002
【特許請求の範囲】
【請求項１】
動画または静止画で構成される背景画像を画像表示スクリーン上に提供する手段と；
前記背景画像を含む画面上でオンスクリーン表示を行う手段と；
前記オンスクリーン表示がなされてから機器操作のない状態で第１の所定時間以上経過した場合に、前記オンスクリーン表示を消去する手段と；
前記背景画像が静止画になってから機器操作のない状態で第２の所定時間以上経過した場合に、スクリーンセーブを行うスクリーンセーバ制御手段を具備した映像表示制御装置。
【請求項２】
前記第１の所定時間を設定する項目と前記第２の所定時間を設定する項目を別々に含む設定項目画面を前記画像表示スクリーン上に提供する手段をさらに具備した請求項１に記載の映像表示制御装置。
【請求項３】
前記第１の所定時間以上経過した場合に前記オンスクリーン表示を用いた機器操作の途中であった場合は、操作途中のオンスクリーン表示画面情報を一時記憶して前記スクリーンセーブを行うように、前記スクリーンセーバ制御手段が構成される請求項１に記載の映像表示制御装置。
【請求項４】
前記第１の所定時間が前記第２の所定時間よりも短い値に設定された場合は前記オンスクリーン表示の消去が前記スクリーンセーブより先に行われ、前記オンスクリーン表示が消去されてから前記スクリーンセーブが行われるように、前記スクリーンセーバ制御手段が構成される請求項１に記載の映像表示制御装置。
【請求項５】
前記第１の所定時間が前記第２の所定時間以上の値に設定された場合において、前記背景画像が静止画になってから機器操作のない状態で前記第２の所定時間以上経過した場合は、前記オンスクリーン表示の消去よりも優先して前記スクリーンセーブが行われるように、前記スクリーンセーバ制御手段が構成される請求項１に記載の映像表示制御装置。
【請求項６】
動画または静止画で構成される背景画像を画像表示スクリーン上に提供し、
前記背景画像を含む画面上でオンスクリーン表示を行い、
前記オンスクリーン表示がなされてから機器操作のない状態で第１の所定時間以上経過した場合に前記オンスクリーン表示を消去し、
前記背景画像が静止画になってから機器操作のない状態で第２の所定時間以上経過した場合にスクリーンセーブを行う映像表示制御方法。
【請求項７】
オンスクリーン表示機能とスクリーンセーブ機能を持ち、画像表示スクリーンを用いるように構成された映像機器であって、
前記映像機器に対して機器操作を行う手段と
動画または静止画で構成される背景画像を前記画像表示スクリーン上に提供し、前記背景画像を含む画面上でオンスクリーン表示を行い、前記オンスクリーン表示がなされてから機器操作のない状態で第１の所定時間以上経過した場合に前記オンスクリーン表示を消去し、前記背景画像が静止画になってから機器操作のない状態で第２の所定時間以上経過した場合にスクリーンセーブを行う制御手段を具備した映像機器。
【発明の詳細な説明】
【技術分野】
【０００１】
この発明は、オンスクリーン表示のタイムアウトやスクリーンセーバなどの映像表示制御を行う装置、映像表示制御方法および、この制御方法を用いる映像機器に関する。
【背景技術】
【０００２】
近年のデジタル再生機器では、再生中の動画上に設定メニュー（グラフィカルユーザインターフェイスＧＵＩの一種）をオンスクリーン表示したり、動画表示領域を縮小しその縮小後の空き領域に静止画等で補足情報を縮小動画と合わせて表示したりする機能が、再生コンテンツ自体の付加価値として追加されている。また、映像機器の分野では、スクリーンセーバも知られている（特許文献１参照）。
【先行技術文献】
【特許文献】
【０００３】
【特許文献１】特開２００５−９４２９９号公報
【発明の概要】
【発明が解決しようとする課題】
【０００４】
特許文献１では、所定時間操作がない場合に、ＴＶ受信表示を、指定されたスクリーンセーバコンテンツの表示に自動的に切り替えている。このＴＶ受信表示にプラズマディスプレイやＣＲＴが用いられている場合、その表示画面上に明るい静止画を含むスクリーンセーバコンテンツが長時間出続けていると、その静止画部分で画面焼き付きが生じる可能性がある。画面全体をブラックアウトしてしまうようなスクリーンセーバであればこの焼き付きは生じないが、そうするとスクリーンセーバコンテンツも見えなくなってしまい、ユーザに不快感を与えかねない。
【０００５】
同様なことは、設定メニューなどの静止画ＧＵＩが背景画像上にオンスクリーン表示される場合にも生じる。すなわち、設定メニューを用いた機器設定の途中でメニュー操作が暫らく中断したことからスクリーンセーバが動作してしまうと、設定メニュー（静止画ＧＵＩ）部分での画面焼き付きは防止できるが、必要な設定が未だ終わっていないのに設定メニューが消えてしまうことからユーザに操作上の不快感を与える（あるいはユーザの利便性を阻害する）。
【０００６】
この発明の課題の１つは、機器操作の途中でスクリーンセーバが動作してしまい設定メニューなどのオンスクリーン表示がユーザの意に反して消えてしまうといったような、ユーザの利便性を阻害する事態を回避できるようにすることである。
【課題を解決するための手段】
【０００７】
この発明の一実施の形態に係る映像表示制御装置は、動画または静止画で構成される背景画像を画像表示スクリーン（４００）上に提供する手段（１００ｃ、１００ｆ；ＳＴ１０におけるVideo表示）と；
前記背景画像を含む画面上でオンスクリーン表示（４００ａ、４００ｂ）を行う手段（１００ａ、１００ｂ；ＳＴ１０におけるＧＵＩ表示）と；
前記オンスクリーン表示がなされてから（ＳＴ２１yes）機器操作のない状態で（ＳＴ２２no）第１の所定時間（例えば５分）以上経過した（ＧＵＩタイムアウト）場合に（ＳＴ２６yes）、前記オンスクリーン表示を消去（４００ｃ）する手段（１００ｄ、１００ｈ；ＳＴ３１）と；
前記背景画像が静止画になってから（ＳＴ１２yes）機器操作のない状態で（ＳＴ１３no）第２の所定時間（例えば３０分）以上経過した場合に（ＳＴ１６yes）、スクリーンセーブを行う（セーブ直前の画面情報を記憶してから、表示をセーブ画面４００ｄに切り替える）スクリーンセーバ制御手段（１００ｇ；ＳＴ１７）を具備している。
【０００８】
ここで、前記第１の所定時間（例えば５分）と前記第２の所定時間（例えば３０分）は別々に設定可能となっており、第１の所定時間と第２の所定時間をどのように設定するかによって、オンスクリーン表示消去処理とスクリーンセーブ処理の動作の仕方を変えることができる。例えば、前記第２の所定時間を前記第１の所定時間以上に設定しておけば、オンスクリーン表示が保障されている期間中（第１の所定時間が経過するまで）にスクリーンセーブが行われることはない（ＳＴ２６noの分岐）。この場合でスクリーンセーブが行われるのは、オンスクリーン表示が保障されている期間（第１の所定時間）を過ぎてから後となる（ＳＴ２６yesの分岐）。
【発明の効果】
【０００９】
この発明によれば、ユーザの利便性を阻害しないでスクリーンセーバ処理が可能となる。
【図面の簡単な説明】
【００１０】
【図１】この発明の一実施の形態に係る映像表示制御装置を説明する図。
【図２】図１の装置における表示例を説明する図。
【図３】図１の装置における設定項目の一例を説明する図。
【図４】図１の装置動作の一例を説明するフローチャート図。
【発明を実施するための形態】
【００１１】
以下、図面を参照してこの発明の種々な実施の形態を説明する。図１は、この発明の一実施の形態に係る映像表示制御装置を説明する図である。この映像表示制御装置は、マイクロコンピュータ（ＭＰＵ）の処理機能の一部として、表示再生装置（デジタル映像機器）１０に組み込まれている。
【００１２】
表示再生装置１０は、ＭＰＵ１００と、メモリ部１０２と、タイマ部１０４と、ＤＶＤやＢＤなどの光ディスクメディア（あるいはメモリカードメディア）を扱うメディアドライブ部１０６と、High-Definition Multimedia Interface（ＨＤＭＩ）などのデジタルＡＶインターフェイス１０８と、タッチパネルなどのユーザ操作入力部１１０と、リモコン１１２ａからのユーザ操作指令を受信するリモコン受光部１１２と、ビデオ映像やＧＵＩ画像を表示する表示部１１４と、インターネットなどのネットワーク１１８に接続される通信部１１６を備えている。ここで、メモリ部１０２は、ＭＰＵ１００が実行するファームウエア（後述する図４のフローチャート参照）を記憶するエリア、このファームウエアを実行する際に使用するワークエリア、ユーザ設定値（図３の時間設定値）やスクリーンセーブデータなどを一時記憶するエリアなどを含んでいる。
【００１３】
ＨＤＭＩインターフェイス１０８は、入力切換部３０を介して、デジタルＴＶなどの映像表示装置４０のＨＤＭＩインターフェイスに適宜接続される。映像表示装置４０には、入力切換部３０を介して、他の再生機器（ＤＶＤプレーヤ、ＢＤプレーヤ、セットトップボックス、ＡＶパソコン、コンピュータゲーム機など）も接続可能となっている。
【００１４】
ＭＰＵ１００は、１０２〜１１６からデータを適宜取得するデータ取得部１００ａと、表示部１１４および／または映像表示装置４０の画像表示スクリーン４００で表示するオンスクリーン表示情報（設定メニューなどのＧＵＩ画像）を生成するＯＳＤ表示生成部１００ｂと、ネットワーク１１８等からの外部映像情報に対応した表示情報を生成する外部映像表示生成部１００ｃと、タイマ部１０４を用いてＧＵＩタイムアウト時間やスクリーンセーバ起動時間（動作開始時間）等を設定するタイマ設定カウント制御部１００ｄと、ユーザ入力部１１０またはリモコン１１２ａからの操作入力等に基づき表示部１１４および／または映像表示装置４０に対して表示の指示を行う表示指示部１００ｅと、メディアドライブ部１０６などからの再生信号を処理する再生信号処理部１００ｆを備えている。
【００１５】
ＭＰＵ１００はさらに、タイマ部１０４を用いてスクリーンセーバ動作を制御するスクリーンセーバ制御部１００ｇと、タイマ部１０４を用いてオンスクリーン表示（ＧＵＩ）のタイムアウトを制御するＯＳＤタイムアウト制御部１００ｈを備えている。
【００１６】
図１の構成において、外部映像表示生成部１００ｃおよび再生信号処理部１００ｆは、動画または静止画で構成される背景画像を画像表示スクリーン４００上に提供する手段を構成している（図４のＳＴ１０におけるVideo表示に対応）。ここで、背景画像としては、インターネットからダウンロードした外部映像あるいはＤＶＤ／ＢＤビデオ再生映像もしくは機器１０が予め記憶している静止画などがある。また、画像表示スクリーン４００には、プラズマ、ＣＲＴなど焼き付きが生じる可能性のある表示デバイスのスクリーンが含まれるが、液晶ディスプレイ（ＬＣＤ）のスクリーンであってもよい。
【００１７】
なお、表示再生装置１０に外部接続される映像表示装置４０には種々なタイプがあり、焼き付きの恐れがあるプラズマやＣＲＴの他に、焼き付きの恐れがないＬＣＤや有機ＥＬなども使用されている。この発明の実施においては、焼き付きの恐れがないＬＣＤや有機ＥＬなどの映像表示装置の使用が妨げられることはない。焼き付きの恐れがない映像表示装置（例えばＬＣＤ）では、スクリーンセーバ動作中にバックライトの消費電流を落とすなどによりパワーセーブを行うことができる。そのため、ＧＵＩタイムアウトとスクリーンセーバを組み合わせたこの発明をＬＣＤなどの表示デバイスを用いる装置１０に利用した場合は、焼き付き問題の代わりに省エネ問題を多少なりとも解決できる。焼き付き問題だけでなく省エネ問題も併せて考慮すれば、装置１０に内臓される表示部１１４としては、ＬＣＤや有機ＥＬディスプレイなどが適している。
【００１８】
データ取得部１００ａおよびＯＳＤ表示生成部１００ｂは、前記背景画像を含む画面上でオンスクリーン表示（図２の４００ａ、４００ｂ）を行う手段を構成している（図４のＳＴ１０におけるＧＵＩ表示に対応）。
【００１９】
タイマ設定カウント制御部１００ｄおよびＯＳＤタイムアウト制御部１００ｈは、前記オンスクリーン表示がなされてから（図４のＳＴ２１yes）、前記背景画像が静止画であるか否かにかかわらず、機器操作（リモコン操作など）のない状態で（図４のＳＴ２２no）第１の所定時間（例えば５分）以上経過した（ＧＵＩタイムアウト）場合に（図４のＳＴ２６yes）、前記オンスクリーン表示を消去する（図２の４００ｃ：背景画像はフル画面表示にする）手段を構成している（図４のＳＴ３１）。
【００２０】
スクリーンセーバ制御部１００ｇは、前記背景画像が静止画になってから（図４のＳＴ１２yes）機器操作のない状態で（図４のＳＴ１３no）第２の所定時間（例えば３０分）以上経過した場合に（図４のＳＴ１６yes）、スクリーンセーブを行うスクリーンセーバ制御手段を構成している（図４のＳＴ１７）。ここで、スクリーンセーブが行われる際には、セーブ直前の画面情報（図２の４００ｂまたは４００ｃ）がメモリ部１０２に記憶されてから、表示がセーブ画面（図２の４００ｄ）に切り替わるように構成されている。
【００２１】
図２は、図１の装置における表示例を説明する図である。始めはメディアドライブ部１０９に装填された図示しないビデオディスク（あるいはメモリカード）のビデオ再生映像がフル画面表示されているとする（４００ｃ）。この状態で、例えばネットワーク１１８から外部映像（何らかのＧＵＩ画像）が入ってくると、あるいはユーザがリモコン操作で例えば設定メニュー（ＧＵＩ）の表示を指示すると、ビデオ映像が縮小され、画面の空きエリアにＧＵＩ画像が表示される（４００ａ）（遷移矢印０７）。このＧＵＩ画像を見たユーザが、例えばリモコン１１２ａのカーソルキー操作で第２項のSetting項目を選択し、リモコン１１２ａのエンターキーを押すと、ＧＵＩ画像が更に下位階層の設定メニュー（４００ｂ）に切り替る（遷移矢印０１）。
【００２２】
切り替った設定メニューにおいて第２−１項目のSetting項目が選択されると、例えば図３に示すような、ＧＵＩタイムアウト時間とスクリーンセーバの起動時間を個別に設定する項目がＧＵＩ表示される。ここで設定されたＧＵＩタイムアウト時間（例えば５分）とスクリーンセーバの起動時間（例えば３０分）は、メモリ部１０２（不揮発性メモリ）に格納される。また、ここで設定された時間の計測は、図１のタイマ部１０４で行うことができる。
【００２３】
ＧＵＩがタイムアウトする前にスクリーンセーバが起動すると、画面はスクリーンセーバの画面（４００ｄ）に移行する（遷移矢印０３）。その際、セーブ直前の画面情報（４００ｂ）はメモリ部１０２に記憶される。スクリーンセーブ中にユーザが何らかの操作をする（例えばリモコン１１２ａのキーのどれかを押す）と、スクリーンセーバ画面（４００ｄ）はメモリ１０２に記憶された画面（４００ｂ）に戻る（遷移矢印０４）。
【００２４】
一方、設定メニュー（４００ｂ）の状態で画面が静止したままユーザ操作なしで例えば５分経過する（ＧＵＩタイムアウトする）と、画面はビデオ再生映像のフル画面表示（４００ｃ）に移行する（遷移矢印０２）。このフル画面表示が静止画であり（例えばビデオ動画再生がポーズ状態にある場合）、その静止画状態のままスクリーンセーバの起動時間に到達すると、画面はスクリーンセーバの画面（４００ｄ）に移行する（遷移矢印０５）。その際、セーブ直前の画面情報（４００ｃ）はメモリ部１０２に記憶される。スクリーンセーブ中にユーザが何らかの操作をすると、スクリーンセーバ画面（４００ｄ）はメモリ１０２に記憶された画面（４００ｃ）に戻る（遷移矢印０６）。
【００２５】
例えば図２の画面４００ｂにおいてビデオ再生が動画再生であると、従来のスクリーンセーバではスクリーンセーブ動作せず、その動画と同時に表示されている静止画のＧＵＩ設定メニュー部分で焼き付きが発生する可能性がある。しかしこの実施の形態では、ＧＵＩタイムアウトになると、例え画面４００ｂで動画のビデオ再生が行われていてもＧＵＩタイムアウトが働き、画面４００ｃのように静止画ＧＵＩが消去される（遷移矢印０２）。そのため、ＧＵＩ部分で焼き付きが発生する恐れは払拭される。ＧＵＩタイムアウトとなったあと再びＧＵＩ設定メニューに戻りたいときは、リモコン操作でＧＵＩ表示を指令して画面４００ａに入り（遷移矢印０７）、さらにメニュー操作で画面４００ｂに移行（遷移矢印０１）すればよい。
【００２６】
なお、ＧＵＩタイムアウトの機能がない場合はＧＵＩ部分での焼き付きを防止するためにはスクリーンセーバを起動するしかないが、その場合はＧＵＩ設定メニューのみならず動画再生中のビデオ映像まで見えなくなってしまうため、ユーザにとって利便性が落ちる。この実施の形態では、ＧＵＩタイムアウトとスクリーンセーバという２つの手段を組み合わせることで、この問題を解消している。
【００２７】
図４は、図１の装置動作の一例を説明するフローチャートである。このフローチャートの処理を行うコンピュータプログラムは、ファームウエアとしてメモリ部１０２に格納されている。いま、ユーザが例えばリモコン１１２ａを操作してビデオ再生を指示したとする。すると、ビデオ再生が開始して、映像表示装置４０のスクリーン４００上でビデオ表示（ＳＴ１０、ＳＴ１１yes）がなされる（図２の４００ｃ）。ビデオ表示が動画であれば（ＳＴ１２no）ビデオ表示はそのまま続く（ＳＴ１０）。再生ポーズなどでビデオ表示が静止画となり（ＳＴ１２yes）その後のユーザ操作がないと（ＳＴ１３no）、タイマ２がタイムカウント（時間計測）を開始する（ＳＴ１４）。ここで、タイマ２は、スクリーンセーバの起動時間を測るカウンタで、タイマ部１０４の機能の一部となっている。
【００２８】
操作がなく（ＳＴ１３no）タイマ２がスクリーンセーバ起動時間（例えば３０分）に到達するまでは（ＳＴ１６no）、ビデオの静止画表示状態（ＳＴ１０）が続く。操作がなく（ＳＴ１３no）タイマ２がスクリーンセーバ起動時間（例えば３０分）に到達すると（ＳＴ１６yes）、スクリーンセーバが起動（ＳＴ１７）する（図２の４００ｄ）。スクリーンセーバの動作中に何らかのユーザ操作が行われると（ＳＴ１８yes）、タイマ２はリセットされ（ＳＴ１９）スクリーンセーバが解除されて元の表示状態（ＳＴ１０）に戻る（図２の４００ｃ）。
【００２９】
元の表示状態（ＳＴ１０）においてＧＵＩ（設定メニューなど）のオンスクリーン表示が指示されると、映像表示装置４０のスクリーン４００上でＧＵＩのオンスクリーン表示（ＳＴ１０、ＳＴ２１yes）がなされる（図２の４００ａ）。このＧＵＩを用いたユーザ操作がある限りは（ＳＴ２２yes）、ビデオ表示とともにＧＵＩ表示もなされる（ＳＴ１０、ＳＴ２１yes）がなされる（図２の４００ｂ）。
【００３０】
例えばユーザが機器操作にまごつき、操作マニュアルを読むなどしてユーザ操作が一時中断すると（ＳＴ２２no）、タイマ１がタイムカウント（時間計測）を開始する（ＳＴ２３）。ここで、タイマ１は、ＧＵＩタイムアウトまでの時間を測るカウンタで、タイマ部１０４の機能の他の一部となっている。
【００３１】
スクリーンセーバ動作の場合は時間が来るといきなりスクリーンセーバ画面に移行してしまう（ＳＴ１６yes）が、ＧＵＩタイムアウト動作の場合はタイムアウト間近にその警告を行う。すなわち、例えばＧＵＩタイムアウトの１０秒前になると（ＳＴ２４yes）ＧＵＩ画像を半透明化させ（あるいは点滅させ）、および／またはピッピッピッ…といった警告音を出す（ＳＴ２５）。
【００３２】
ＧＵＩタイムアウトになる前（ＳＴ２６no）に何らかの操作があると（ＳＴ２７yes）、半透明化されたＧＵＩが元の不透明画像に戻り（あるいはＧＵＩの点滅が止んでＧＵＩ点灯に切り替わり）、警告音がでていたらその警告音も止まる（ＳＴ２８）。そして、タイマ１がリセットされて（ＳＴ２８）元の表示状態（ＳＴ１０）に戻る（図２の４００ｂ）。ここで、ＧＵＩタイムアウト前の「何らかの操作」としては、ユーザによるリモコン操作の他に、HDMI CEC（High Definition Multimedia Interface Consumer Electronics Control）のコマンド操作、映像表示装置４０（表示再生装置１０に対する外部接続機器）の入力切換部３０による切り換えで画面表示なし（ＨＤＭＩインターフェイス１０８を介した出力接続なし）になるような状態変化、スクリーンセーバ起動によりスクリーンセーバ画面表示になるような状態変化なども含まれる。
【００３３】
ＧＵＩタイムアウトになると（ＳＴ２６yes）、タイマ１はリセットされる（ＳＴ２９）。ここで、現状がＧＵＩを用いた何らかの入力途中であったなら（ＳＴ３０yes）（ＧＵＩ設定未完）、そこからスクリーンセーバ処理に入る（ＳＴ１７）（図２の遷移矢印０３）。現状がＧＵＩを用いた入力途中でなかったなら（ＳＴ３０no）（ＧＵＩ設定完）、ＧＵＩ表示を消してビデオのフル画面表示に切り換える（ＳＴ３１）（図２の遷移矢印０２）。ビデオのフル画面表示に切り換ったあとは、画面表示が動画である限りスクリーンセーバは起動しない。表示画面が静止画になったあとでも、何らかのユーザ操作（ＧＵＩ操作を含む）がある限りスクリーンセーバは起動しない。表示画面が静止画になったあと、一定時間ユーザ操作がなかったときに（ＳＴ１６yes）、スクリーンセーバは起動する（ＳＴ１７）。
【００３４】
図２〜図４の例を簡単に纏めると、次のようになる。すなわち、ＧＵＩタイムアウトの設定時間（例えば５分）がスクリーンセーバの設定時間（例えば３０分）より小さい場合にスクリーン表示４００ｂの状態で放置されていると、まず、スクリーン表示４００ｃのビデオフル画面表示状態となり、その後、スクリーンセーバ画面４００ｄとなる（ただしビデオが静止画状態の場合）。
【００３５】
逆に、ＧＵＩタイムアウトの設定時間がスクリーンセーバの設定時間より大きい場合にスクリーン表示４００ｂの状態で放置されていたとすると、まずスクリーンセーバ画面４００ｄの状態になり、その後、表示はスクリーンセーバのままで装置内部がビデオフル画面表示状態４００ｃになる（このビデオフル画面は、スクリーンセーバ画面に覆い隠されて、ユーザには見えない）。この場合、スクリーンセーバ画面４００ｄの状態になったことにより、画面焼き付き防止の目的は既に達成されている。そのため、ＧＵＩタイムアウトの処理をスキップする（例えば図４のＳＴ２３〜ＳＴ３１を飛ばし、ＳＴ２２noからＳＴ１４に飛ぶ）ように構成してもよい。その場合は、スクリーンセーバが解除されると直ぐに、スクリーン表示４００ｂの状態へ復帰することができる。
【００３６】
ＧＵＩタイムアウトの設定時間がスクリーンセーバの設定時間より大きく設定されたときにＧＵＩタイムアウト処理をスキップしない場合は、スクリーンセーバ動作中にＧＵＩがタイムアウトすることがある。この場合でスクリーンセーバ動作中にＧＵＩがタイムアウトしたときは、スクリーンセーバが解除されたあと、画面４００ｃと画面４００ａを経由して画面４００ｂへ戻ることができる。
【００３７】
＜実施の形態の効果＞
ａ．機器操作の途中でスクリーンセーバが動作してしまいＧＵＩ設定メニューなどのオンスクリーン表示がユーザの意に反して消えてしまうような事態を回避しつつ（つまりユーザの利便性を損なうことなく）、画面焼き付き防止機能を提供できる。
【００３８】
ｂ．ＧＵＩの表示タイムアウト処理とスクリーンセーブ処理の２機能の組合せ効果が得られる。すなわち、表示タイムアウト処理とスクリーンセーブ処理おのおのの時間設定でどちらの処理を優先するか指定できるため、ユーザの利用方法に合わせて、柔軟に画面焼き付き防止機能を実現できる。
【００３９】
ｃ．映像表示装置（外部接続機器）４０への出力接続なしでも（図４のＳＴ２７yes）、ＧＵＩ表示タイムアウトのタイマカウントをリセットさせることができる（ＨＤＭＩインターフェイス１０８では外部接続機器との出力接続の有無を検知できる）。これにより、入力切換部３０による入力切換で映像表示装置４０側の画面表示がなされない状態となっている場合に表示タイムアウトになることを回避でき、設定入力途中のＧＵＩ内容を保持させることができる。
【００４０】
ｄ．ＧＵＩ設定入力中にＧＵＩ表示タイムアウトが生じたあとは、スクリーンセーブ処理へ移行できる（図４のＳＴ３０yes）。これにより、設定入力途中のＧＵＩ内容をスクリーンセーブ処理により保持することができる。
【００４１】
＜実施の形態と発明との対応例＞
この発明の一実施の形態に係る映像表示制御方法では、動画または静止画で構成される背景画像を画像表示スクリーン上に提供し（ＳＴ１０におけるVideo表示）、前記背景画像を含む画面上でオンスクリーン表示を行う（ＳＴ１０におけるＧＵＩ表示）。そして、前記オンスクリーン表示がなされてから（ＳＴ２１yes）機器操作のない状態で（ＳＴ２２no）第１の所定時間以上経過した場合は（ＳＴ２６yes）前記オンスクリーン表示を消去し（ＳＴ３１）、前記背景画像が静止画になってから（ＳＴ１２yes）機器操作のない状態で（ＳＴ１３no）第２の所定時間以上経過した場合は（ＳＴ１６yes）スクリーンセーブを行う（ＳＴ１７）。
【００４２】
換言すれば、前記オンスクリーン表示がなされてから（ＳＴ２１yes）機器操作のない状態で（ＳＴ２２no）第１の所定時間以上経過しない場合は（ＳＴ２６no）前記オンスクリーン表示を消去する処理は行われず、前記背景画像が静止画になってから（ＳＴ１２yes）機器操作のない状態で（ＳＴ１３no）第２の所定時間以上経過しない場合は（ＳＴ１６no）スクリーンセーブの処理は行われない。
【００４３】
ここで、前記第１の所定時間（例えば５分）と前記第２の所定時間（例えば３０分）は別々に設定可能となっており、第１の所定時間と第２の所定時間をどのように設定するかによって、オンスクリーン表示消去処理とスクリーンセーブ処理の動作の仕方を変えることができるようになっている。
【００４４】
前記第２の所定時間（例えば３０分）を前記第１の所定時間（例えば５分）以上に設定しておけば、オンスクリーン表示が保障されている期間中（第１の所定時間が経過するまで）にスクリーンセーブが行われることはない（ＳＴ２６noの分岐）。この場合でスクリーンセーブが行われるのは、オンスクリーン表示が保障されている期間（第１の所定時間）を過ぎてから後となる（ＳＴ２６yesの分岐）。
【００４５】
前記第２の所定時間（例えば５分）が前記第１の所定時間（例えば１０分）より短く設定されている場合は、オンスクリーン表示が保障されている期間（第１の所定時間：ＧＵＩがタイムアウトしない期間）中にスクリーンセーブに入る期間（第２の所定時間）が過ぎてしまう可能性がある（第１の所定時間のタイムカウント開始時点よりも第２の所定時間のタイムカウント開始時点が遅い場合、第１の所定時間の期間内に第２の所定時間の期間が過ぎてしまわないこともある）。しかし、第１の所定時間の期間内に第２の所定時間の期間が過ぎてしまう可能性がある場合でも、オンスクリーン表示を見ながらユーザが機器操作をしている最中は（ＳＴ１３yesの分岐、ＳＴ２２yesの分岐）、スクリーンセーブの処理に入ることはなく、オンスクリーン表示を用いたユーザ操作を続けることができる。
【００４６】
なお、この発明は前述した実施の形態に限定されるものではなく、実施段階ではその要旨を逸脱しない範囲で種々に変形することが可能である。例えば、この発明はパーソナルコンピュータにおいて実施することもできるし、デジタルＴＶにその一機能として組み込むこともできる。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００４７】
１０…表示再生装置（ネットワーク接続可能なビデオプレーヤなど）、２０…他の再生機器（ＤＶＤ／ＢＤプレーヤなど）、３０…入力切換部（ＡＶセレクタなど）、４０…映像表示装置（デジタルＴＶなど）、１００…マイクロコンピュータ（ＭＰＵ）、１０２…メモリ部、１０４…タイマ部、１０６…メディアドライブ部（ＤＶＤ／ＢＤドライブ、および／またはＩＣカードスロットなど）、１０８…デジタルＡＶインターフェイス（ＨＤＭＩ  Ｉ／Ｆなど）、１１０…ユーザ操作入力部（タッチパネルなど）、１１２…リモコン受光部、１１４…表示部、１１６…通信部、１１８…ネットワーク（インターネットなど）、４００…画像表示スクリーン。
【図１】
2010282136.tif 000003
【図２】
2010282136.tif 000004
【図３】
2010282136.tif 000005
【図４】
2010282136.tif 000006
【手続補正書】
【提出日】平成22年10月12日(2010.10.12)
【手続補正１】
【補正対象書類名】特許請求の範囲
【補正対象項目名】全文
【補正方法】変更
【補正の内容】
【特許請求の範囲】
【請求項１】
動画または静止画で構成される背景画像を画像表示スクリーン上に提供する手段と；
前記背景画像を含む画面上でオンスクリーン表示を行う手段と；
前記オンスクリーン表示がなされてから機器操作のない状態で第１の所定時間以上経過した場合に、前記オンスクリーン表示を消去する手段と；
前記背景画像が静止画になってから機器操作のない状態で第２の所定時間以上経過した場合に、スクリーンセーブを行うスクリーンセーバ制御手段と；
前記第１の所定時間を設定する項目と前記第２の所定時間を設定する項目を別々に含む設定項目画面を前記画像表示スクリーン上に提供する手段を具備した映像表示制御装置。
【請求項２】
動画または静止画で構成される背景画像を画像表示スクリーン上に提供し、
前記背景画像を含む画面上でオンスクリーン表示を行い、
前記オンスクリーン表示がなされてから機器操作のない状態で第１の所定時間以上経過した場合に前記オンスクリーン表示を消去し、
前記背景画像が静止画になってから機器操作のない状態で第２の所定時間以上経過した場合にスクリーンセーブを行う方法において、
前記第１の所定時間を設定する項目と前記第２の所定時間を設定する項目を別々に含む設定項目画面を前記画像表示スクリーン上に提供する映像表示制御方法。
【請求項３】
オンスクリーン表示機能とスクリーンセーブ機能を持ち、画像表示スクリーンを用いるように構成された映像機器であって、
前記映像機器に対して機器操作を行う手段と
動画または静止画で構成される背景画像を前記画像表示スクリーン上に提供し、前記背景画像を含む画面上でオンスクリーン表示を行い、前記オンスクリーン表示がなされてから機器操作のない状態で第１の所定時間以上経過した場合に前記オンスクリーン表示を消去し、前記背景画像が静止画になってから機器操作のない状態で第２の所定時間以上経過した場合にスクリーンセーブを行う制御手段と；
前記第１の所定時間を設定する項目と前記第２の所定時間を設定する項目を別々に含む設定項目画面を前記画像表示スクリーン上に提供する手段を具備した映像機器。